(57)【特許請求の範囲】
【請求項１】
送電線の表面と接触する端部と前記送電線の表面と離間する端部とを連接する滑らかな傾斜面を有し、着雪体が前記送電線の表面から前記傾斜面へと乗り上げるように前記送電線の表面と接触する前記端部において前記送電線の表面と前記傾斜面とが滑らかに連続していると共に前記送電線の表面の周方向の全体に亙って取り囲むように前記傾斜面が形成されている器具が前記送電線の表面に対して装着されることを特徴とする着雪低減方法。
【請求項２】
送電線の表面と接触する端部と前記送電線の表面と離間する端部とを連接する滑らかな傾斜面を有し、着雪体が前記送電線の表面から前記傾斜面へと乗り上げるように前記送電線の表面と接触する前記端部において前記送電線の表面と前記傾斜面とが滑らかに連続していると共に前記送電線の表面の周方向の全体に亙って取り囲むように前記傾斜面が形成され、前記送電線の表面に対して装着されることを特徴とする着雪低減用具。
【請求項３】
請求項２記載の着雪低減用具が取り付けられていることを特徴とする電線。
【請求項４】
請求項２記載の着雪低減用具が取り付けられていることを特徴とする電線付属器具の取付具。
【発明の詳細な説明】
【技術分野】
【０００１】
本発明は、着雪低減方法、並びに、着雪低減用具、電線、及び電線付属器具の取付具に関する。さらに詳述すると、本発明は、架空送電線の表面への雪の付着を低減させるための技術に関する。
【背景技術】
【０００２】
従来から、特に積雪地方における架空送電線に付着した雪の重みや風による振動によって送電線が破損・破断してしまうことを防ぐため、難着雪対策として、架空送電線の外周に所定間隔で取り付けられる難着雪リングと呼ばれる器具が用いられている。
【０００３】
従来の難着雪リングとして、図１２に示すように、架空送電線や地線などの送電線１１０に装着する係脱自在の開放端部１０１を有した開閉自在の環状体１００に形成され、この開放端部１０１が開放する一方の開放端に係止突起１０１ａと他方の開放端に係止突起１０１ａを嵌合係止する嵌合溝１０１ｂとを各々形成し、環状体１００の円弧形断面の所定箇所に断面が波形のヒンジ部１０２を設けると共に、環状体１００の内側表面に一体に形成されて肉厚が中心に向かって増加するように突設させたリブ（不図示）を備えるものがある（特許文献１）。
【先行技術文献】
【特許文献】
【０００４】
【特許文献１】特開２０１１−１２５１４０号公報
【発明の概要】
【発明が解決しようとする課題】
【０００５】
しかしながら、特許文献１の難着雪リングでは、難着雪リングの突起部（図中の符号１０３）に雪が接した場合に着雪体１０４（即ち、送電線１１０の表面に付着した雪の塊）が落下せずに突起部１０３にへばり付いて留まり続けることに起因して難着雪リングにおいて着雪体１０４が保持されてしまう場合があり（図１２(Ｂ)）、着雪の低減効果が十分であるとは言い難い。
【０００６】
また、送電線に種々の電線付属器具を取り付ける場合に、電線付属器具を取り付けるために送電線に組み付けられる取付具のうちの送電線の表面に対して突起している部分に雪が接した場合にも同様に前記突起している部分に着雪体がへばり付いて保持されてしまう場合があり、電線付属器具の取付具部分における着雪が助長されてしまうという問題がある。
【０００７】
そこで、本発明は、架空送電線に付着した雪を落下させて架空送電線への着雪を低減させることがきる着雪低減方法、並びに、着雪低減用具、電線、及び電線付属器具の取付具を提供することを目的とする。
【課題を解決するための手段】
【０００８】
かかる目的を達成するため、本発明の着雪低減方法は、送電線の表面と接触する端部と送電線の表面と離間する端部とを連接する滑らかな傾斜面を有し、着雪体が送電線の表面から傾斜面へと乗り上げるように送電線の表面と接触する端部において送電線の表面と傾斜面とが滑らかに連続していると共に送電線の表面の周方向の全体に亙って取り囲むように傾斜面が形成されている器具が送電線の表面に対して装着されるようにしている。
【０００９】
また、本発明の着雪低減用具は、送電線の表面と接触する端部と送電線の表面と離間する端部とを連接する滑らかな傾斜面を有し、着雪体が送電線の表面から傾斜面へと乗り上げるように送電線の表面と接触する端部において送電線の表面と傾斜面とが滑らかに連続していると共に送電線の表面の周方向の全体に亙って取り囲むように傾斜面が形成され、送電線の表面に対して装着されるようにしている。
【００１０】
これらの着雪低減方法や着雪低減用具によると、送電線の表面に付着した雪が着雪体となって移動すると送電線に装着された器具（着雪低減用具）の傾斜面に乗り上げることによって送電線の表面から剥がされて自重によって落下する。
【００１１】
また、本発明の電線は上記の着雪低減用具が取り付けられているようにしており、本発明の電線付属器具の取付具は上記の着雪低減用具が取り付けられているようにしている。
【００１２】
これらの電線や電線付属器具の取付具によると、上記の着雪低減用具によって奏される作用を奏する電線や電線付属器具の取付具が提供される。
【発明の効果】
【００１３】
本発明の着雪低減方法、並びに、着雪低減用具、電線、及び電線付属器具の取付具によれば、送電線の表面を移動する着雪体を傾斜面に乗り上げさせて送電線の表面から剥がして落下させることができるので、送電線の表面への着雪を低減させ、延いては付着した雪の重みなどによる送電線の破損・破断を防止することが可能になる。
【図面の簡単な説明】
【００１４】
【図１】本発明の着雪低減方法並びに着雪低減用具及び電線の実施形態の一例を示す図であり、着雪低減用具が送電線に装着された状態を示す図である。（Ａ）は送電線の方向に沿う側面図である。（Ｂ）は送電線の方向と直交する正面図である。
【図２】本発明の着雪低減方法並びに着雪低減用具及び電線の他の実施形態を示す図であり、着雪低減用具が送電線に装着された状態を示す図である。（Ａ）は送電線の方向に沿う側面図である。（Ｂ）は送電線の方向と直交する正面図である。
【図３】本発明の着雪低減方法並びに着雪低減用具及び電線の更に他の実施形態を示す図であり、着雪低減用具が送電線に装着された状態を示す図である。（Ａ）は送電線の方向に沿う側面図である。（Ｂ）は送電線の方向と直交する正面図である。
【図４】本発明の着雪低減方法並びに着雪低減用具及び電線のまた更に他の実施形態を示す図であり、着雪低減用具が送電線に装着された状態を示す図である。（Ａ）は送電線の方向に沿う側面図である。（Ｂ）は送電線の方向と直交する正面図である。
【図５】本発明の着雪低減用具の送電線への装着の仕組みの一例を示す図であり、送電線の方向と直交する縦断面図である。
【図６】本発明の着雪低減方法並びに着雪低減用具及び電線付属器具の取付具の他の実施形態を示す図であり、送電線に取り付けられている電線付属器具の取付具に対して着雪低減用具が装着された状態を示す側面図である。（Ａ）は電線付属器具の取付具を覆うように着雪低減用具が装着される場合の図である。（Ｂ）は電線付属器具の取付具と組み合わされて着雪低減用具が装着される場合の図である。
【図７Ａ】本発明の着雪低減方法及び着雪低減用具の作用を説明する図であり、着雪体が移動して着雪低減用具に近付く状態を示す図である。
【図７Ｂ】本発明の着雪低減方法及び着雪低減用具の作用を説明する図であり、着雪低減用具の傾斜面に着雪体が乗り上げる状態を示す図である。
【図７Ｃ】本発明の着雪低減方法及び着雪低減用具の作用を説明する図であり、着雪低減用具の傾斜面に乗り上げた着雪体が切り離れて落下する状態を示す図である。
【図８】本発明の着雪低減方法並びに着雪低減用具及び電線の更に他の実施形態を示す図であり、着雪低減用具が送電線に装着された状態を示す図である。（Ａ）は送電線の方向に沿う側面図である。（Ｂ）は送電線の方向と直交する正面図である。
【図９】本発明の着雪低減方法並びに着雪低減用具及び電線のまた更に他の実施形態を示す図であり、着雪低減用具が送電線に装着された状態を示す図である。（Ａ）及び（Ｂ）は送電線の方向に沿う側面図である。（Ｃ）は送電線の方向と直交する正面図である。
【図１０】本発明の着雪低減用具が鉄塔部材に装着される場合の一例を示す図である。（Ａ）は鉄塔部材の方向に沿う側面図である。（Ｂ）は鉄塔部材の方向と直交する正面図である。
【図１１】鉄塔部材に装着される板状部材の一例を示す図である。（Ａ）は鉄塔部材の方向に沿う側面図である。（Ｂ）は(Ａ)のＩ−Ｉ矢視図である。
【図１２】従来の難着雪リングを示す側面図である。（Ａ）は難着雪リングが送電線に装着された状態を示す図である。（Ｂ）は難着雪リングにおいて着雪体が保持される状態を示す図である。
【発明を実施するための形態】
【００１５】
以下、本発明の構成を図面に示す実施の形態の一例に基づいて詳細に説明する。
【００１６】
図１乃至図７（図７Ａ乃至７Ｃ、以下同じ）に、本発明の着雪低減方法、並びに、着雪低減用具、電線、及び電線付属器具の取付具の実施形態の例を示す。
【００１７】
本実施形態の着雪低減方法は、送電線１０の表面１０ａと接触する端部２ａと送電線１０の表面１０ａと離間する端部２ｂとを連接する滑らかな傾斜面２を有する器具が送電線１０の表面１０ａに対して装着されるようにしている。
【００１８】
また、本実施形態の着雪低減用具１は、送電線１０の表面１０ａと接触する端部２ａと送電線１０の表面１０ａと離間する端部２ｂとを連接する滑らかな傾斜面２を有し、送電線１０の表面１０ａに対して装着されるようにしている。
【００１９】
着雪低減用具１の材質は、送電線１０に装着しても差し支えがない材質であり且つ適当な耐久性を有する材質の中から適当なものが適宜選択される。例えば、従来例えば難着雪リングと呼ばれている器具と同様の材質や種々の電線付属器具を送電線１０に取り付けるための取付具と同様の材質が選択され得る。具体的には例えば、ゴムやプラスチックなどが選択され得る。
【００２０】
着雪低減用具１は、送電線１０の表面１０ａと接触する端部（言い換えると、縁部；以下「接触端部２ａ」と呼ぶ）と表面１０ａと離間する端部（言い換えると、縁部；以下「離間端部２ｂ」と呼ぶ）とを連接する滑らかな傾斜面２を有するものであれば、特定の形状に限定されるものではない。
【００２１】
そして、接触端部２ａにおいて送電線１０の表面１０ａと傾斜面２とが滑らかに連続している。ただし、接触端部２ａにおいて、送電線１０の表面１０ａと傾斜面２との間に（言い換えると、両者の境界に）、着雪体１１の傾斜面２への乗り上げを妨げるほどの障害にならない程度の段差があっても構わない。
【００２２】
送電線１０の表面１０ａに対する傾斜面２の角度θは、特定の値に限定されるものではなく、送電線１０の表面１０ａに沿って移動する着雪体１１が容易には乗り越えられない程度の勾配でありながらも着雪体１１が傾斜面２へと乗り上げられないほどの急勾配ではない範囲で適当な値に適宜設定される。
【００２３】
なお、送電線１０の表面１０ａに対する傾斜面２の角度は、傾斜面２の全面に亙って一定である必要はなく、傾斜面２の途中で（言い換えると、場所によって）変化しても構わない。
【００２４】
着雪低減用具１は、具体的には例えば、図１に示す例のように、送電線１０の外径とほぼ同一の直径の円形である接触端部２ａ（言い換えると、環状縁部）と、送電線１０の外径よりも大きい直径の円形である離間端部２ｂ（言い換えると、環状縁部）とを連接する滑らかなテーパー状をなす傾斜面２を、送電線１０に沿う方向（即ち、図１における左右方向）において背中合わせに一対のものとして有する形状に形成される。
【００２５】
なお、図１に示す例では一対の離間端部２ｂが設けられるようにしているが、離間端部２ｂは一つのみでも良い。具体的には例えば、図２に示すように、一対の傾斜面２の離間端部２ｂが共通のものとされることによって離間端部２ｂが一つのみ設けられるようにしても良い。
【００２６】
傾斜面２の、送電線の方向に沿う側面視における形状（或いは、縦断面の形状）は、図１や図２に示す例のように直線状に限られるものではなく、曲線であっても（言い換えると、湾曲していても）良い。
【００２７】
具体的には例えば、図３に示す例のように外側に膨らむように湾曲していても良いし、図４に示す例のように内側に抉れるように湾曲していても良い。
【００２８】
また、直線と曲線とが組み合わされた形状であっても良い。
【００２９】
ここで、本発明の着雪低減用具１は接触端部２ａと離間端部２ｂとを連接する滑らかな傾斜面２を有するものであるところ、ここでの「滑らか」とは傾斜面２の形状が接触端部２ａから離間端部２ｂへと向かう方向において出っ張り（言い換えると、凸状）の段差がないものであれば良いことを意味する。したがって、着雪低減用具１は、例えば巻貝の殻のように螺旋状（言い換えると、送電線１０に沿う方向に対して斜行して巻き回る態様）の凹凸を有する形状であっても良い。
【００３０】
なお、着雪低減用具１の形状は、コロナ放電を防ぐという観点から、角部を有することなく、丸みを帯びた形状に形成されることが好ましい。
【００３１】
着雪低減用具１は、内部が、中実であるように形成されても良いし、中空であるように形成されても良い。
【００３２】
また、本発明の着雪低減用具１は、送電線１０の、電線付属器具などが取り付けられていない部分・箇所に装着されるようにしても良いし、電線付属器具が取り付けられている位置に装着されるようにしても良い。
【００３３】
着雪低減用具１が種々の電線付属器具が取り付けられている位置に装着される場合には、具体的には例えば、図６(Ａ)に示すように電線付属器具７を送電線１０に取り付けるための取付具７ａの一部を覆うように（言い換えると、取付具７ａの少なくとも一部を着雪低減用具１内に収容するように）装着されたり、同図(Ｂ)に示すように取付具７ａと組み合わされて（言い換えると、取付具７ａの、送電線１０の表面１０ａに対して突起している部分における段差を傾斜面２によって塞ぐように）装着されたりする。
【００３４】
そして、電線付属器具７の取付具７ａを覆ったり取付具７ａと組み合わされたりして着雪低減用具１が装着される場合には、取付具７ａに雪がへばり付いて留まり続けることが防止されると共に送電線１０への着雪が低減される。
【００３５】
なお、上述の説明における電線付属器具７は特定の器具に限定されるものではないので、図６においては電線付属器具７は仮想線によって表している。電線付属器具７としては、具体的には例えば、ねじれ防止ダンパ（カウンタウェイトとも呼ばれる），相間スペーサ，及び径間スペーサ（具体的には、標準スペーサやルーズスペーサ）などが挙げられる。
【００３６】
ここで、本発明の着雪低減用具１は送電線に装着されて使用されるところ、着雪低減用具１の送電線１０への装着の仕方・仕組みは、送電線１０を傷付けることなく送電線１０の表面１０ａに取り付けられる方式であれば、特定の方式や機構に限定されるものではなく、適当な方式・機構が適宜選択される。
【００３７】
送電線１０への着雪低減用具１の取り付けは、送電線１０に沿う方向（即ち、図１乃至図４における左右方向）に容易には移動しないように位置固定されることが必要であり、送電線１０の周方向に回転しないように固定されることが好ましい。
【００３８】
例えば、あくまで一例として挙げると、着雪低減用具１が送電線１０に装着された状態における送電線１０の方向に沿って切断されて開閉端部が形成されると共に送電線１０の方向の直角断面において前記開閉端部と対向する位置にヒンジ部が設けられ、当該ヒンジ部の働きによって前記開閉端部が開閉可能に構成され、これにより、前記開閉端部が開かれた状態で着雪低減用具１内に送電線１０が取り込まれてから前記開閉端部が閉じられて着雪低減用具１が送電線１０に装着される。
【００３９】
具体的には、あくまで一例として挙げると、図５に示すように、着雪低減用具１が送電線１０に装着された状態における送電線１０の方向に沿って切断されて一対の開閉端部３Ａ，３Ｂが形成されると共に、送電線１０の方向の直角断面において閉じ合わされた開閉端部３Ａ，３Ｂと対向する位置に弾性変形若しくは塑性変形可能なヒンジ部４が設けられる。そして、ヒンジ部４が変形することによって開閉端部３Ａ，３Ｂにおいて開閉可能に構成され、これにより、開閉端部３Ａ，３Ｂが相互に離れ開かれた状態で着雪低減用具１内に送電線１０が取り込まれてから開閉端部３Ａ，３Ｂが相互に閉じ合わされて着雪低減用具１が送電線１０に装着される。
【００４０】
なお、図５に示す例ではヒンジ部４として弾性変形若しくは塑性変形可能な部位が設けられるようにしているが、ヒンジ部４としての構造はこれに限定されるものではなく、例えば、軸を介しての回動の仕組みが用いられるようにしても良い。
【００４１】
また、図５に示す例では、凸部５ａと凹部５ｂとからなる係合機構５が設けられ、これにより、送電線１０に装着された状態が強固に維持され得るようにしている。
【００４２】
なお、必要に応じて所定の間隔で複数個の着雪低減用具１が送電線に装着されて使用される。
【００４３】
また、着雪低減用具１は、既に架設されている送電線１０に装着されるようにしても良いし、架設前の送電線１０に予め装着されるようにしても良い。
【００４４】
さらに、着雪低減用具１は、送電線１０に既に取り付けられている電線付属器具７の取付具７ａを覆ったり（図６(Ａ)）取付具７ａと組み合わされたり（同図(Ｂ)）して装着されるようにしても良く、或いは、送電線１０への取り付け前の電線付属器具の取付具に予め取り付けられるようにしても良い。
【００４５】
上述した着雪低減方法及び着雪低減用具１の作用を図７を用いて以下に説明する。なお、以下では図１に示す着雪低減用具１を取り上げて説明するが、図２乃至図４に示す例でも同様の作用が奏され得る。
【００４６】
まず、送電線１０の表面１０ａに付着した雪は、自重や風などによって送電線１０の素線の撚り目に沿って回転しつつ移動しながら（図７に示す例では、具体的には、図中の符号１２の矢印の向きに回転しつつ符号１３の矢印の向きに移動する）、筒状の着雪体１１となって徐々に成長する。
【００４７】
なお、降雪時には、送電線１０の下面側よりも上面側や側面側への着雪の方が多いことに起因し、着雪体１１は自重によって継続的に回転すると共に、回転に伴って送電線１０の素線の撚り目の働きによって継続的に移動する。
【００４８】
筒状の着雪体１１は、回転しつつ移動することにより、送電線１０に装着されている着雪低減用具１に近付く（図７Ａ）。
【００４９】
そして、筒状の着雪体１１は、回転しつつ更に移動することにより、着雪低減用具１の傾斜面２に乗り上げる。このとき、着雪低減用具１の傾斜面２が、送電線１０の表面１０ａから着雪体１１を剥がす（言い換えると、剥く）ような働きをする（図７Ｂ）。
【００５０】
傾斜面２によって送電線１０の表面１０ａから剥がされた（剥かれた）着雪体１１は、傾斜面２へと或る程度乗り上げると、自重により、傾斜面２へと乗り上げた少なくとも一部（図中の符号１１ａ）が切り離れて落下する（図７Ｃ）。
【００５１】
なお、本発明の着雪低減用具１によって剥がされて（剥かれて）落下させられる着雪体は筒状に成長したものに限定されるものではなく、送電線１０の上面において塊として成長した着雪体も本発明の着雪低減用具１によって剥がされて落下させられ得る。すなわち、塊状の着雪体も、当該着雪体が送電線１０の上面から表面１０ａを滑る際に送電線１０の素線の撚り目に沿って送電線１０の方向に移動して着雪低減用具１の傾斜面２に乗り上げることによって送電線１０の表面１０ａから剥がされて落下する。
【００５２】
また、本発明の着雪低減用具１は、着雪を落下させるに支障が無い場所の上方において送電線に装着されることが望ましい。具体的には、送電線の下方に例えば民家や道路や駐車場などが存在しているために雪の塊を落下させるには相応しくない場所の上方ではなく、例えば野原などの空地であるために雪の塊を落下させても支障が無い場所の上方において着雪低減用具１が送電線に装着されることが望ましい。
【００５３】
以上のように構成された着雪低減方法、並びに、着雪低減用具、電線、及び電線付属器具の取付具によれば、送電線１０の表面１０ａに付着した雪が着雪体１１となって移動したときに送電線１０に装着された着雪低減用具１の傾斜面２に乗り上げさせることによって着雪体１１を送電線１０の表面１０ａから剥がして落下させることができる。このため、送電線１０の表面１０ａへの着雪を低減させ、延いては着雪の重みなどによる送電線１０の破損・破断を防止することが可能になる。
【００５４】
なお、上述の形態は本発明を実施する際の好適な形態の一例ではあるものの本発明の実施の形態が上述のものに限定されるものではなく、本発明の要旨を逸脱しない範囲において本発明は種々変形実施可能である。
【００５５】
例えば、図１乃至図４に示す例ではいずれも送電線１０に沿う方向（即ち、各図における左右方向）において背中合わせに一対のものとして傾斜面２を有するようにしているが、送電線１０に沿う方向における両側に傾斜面２を有することは本発明おいて必須の構成ではない。すなわち、送電線１０における着雪体の移動の向きが特定されている場合には、例えば図８に示すように、送電線１０に沿う方向における片側のみに傾斜面２を有するようにしても良い。なお、着雪体の移動の向きが特定される場合としては、具体的には例えば、送電線１０が傾斜しているために上方から下方に滑る向きのみに着雪体が移動する場合や、特に降雪時における風向きが概ね一定であるために風に押される向きのみに着雪体が移動する場合などが挙げられる。
【００５６】
また、図１乃至図４に示す例ではいずれも送電線１０の外周（表面１０ａ）の周方向の全体に亙って取り囲むように傾斜面２が形成されるようにしているが、送電線１０の外周全周に亙って傾斜面２が形成されることは本発明において必須の構成ではない。すなわち、例えば図９に示すように、送電線１０の側方及び下方のみに傾斜面２が形成されるようにしても良い。なお、同図(Ａ)は送電線１０に沿う方向における両側に傾斜面２を有する場合の例であり、同図(Ｂ)は送電線１０に沿う方向における片側のみに傾斜面２を有する場合の例である。この場合にも、送電線１０の側方や下方の傾斜面２へと乗り上げた着雪体の少なくとも一部は切り離れて落下する。なお、図９に示す例では、接触端部２ａは環状であるが、離間端部２ｂは銀杏形のような形状になる（同図(Ｃ)）。
【００５７】
また、本発明の着雪低減用具１は送電線１０の表面１０ａと接触する端部である接触端部２ａと表面１０ａと離間する端部である離間端部２ｂとを連接する滑らかな傾斜面２を有するものであれば良いところ、離間端部２ｂを形成するための構成は着雪低減用具１自体が備えていなくても良い。例えば、送電線１０に電線付属器具が取り付けられている場合に、当該電線付属器具を送電線１０に取り付けるための取付具が送電線１０の表面１０ａに対して突起し離間する部分として使用されて離間端部２ｂを形成するものとして利用され、これとは別に接触端部２ａとしてのリングなどが送電線１０の表面１０ａに取り付けられ、前記取付具の突起している部分と前記リングとの間に傾斜面２が設けられるようにしても良い。この場合には、傾斜面２を形成するものとして伸縮可能なフィルムが用いられることも考えられる。
【００５８】
また、上述の実施形態では送電線１０に付着した雪の塊を落下させるために着雪低減用具１が送電線１０に装着されるようにしているが、着雪低減用具１が装着される対象は送電線１０に限られるものではなく、例えば送電線１０を架設するための鉄塔の部材に着雪低減用具１が装着されるようにしても良い。具体的には例えば、図１０に示すように、鉄塔の脚部などの鉄塔部材９に着雪低減用具１が装着されるようにしても良い。この場合、送電線１０のうちの鉄塔の近傍位置に取り付けられた着雪低減用具１の下方に、鉄塔部材９に装着される着雪低減用具１を更に設けることにより、送電線１０に装着された着雪低減用具１によって送電線１０の表面１０ａから剥がされて落下させられた着雪体１１の鉄塔部材９の表面への着雪を防止することができる。なお、送電線１０に装着される着雪低減用具１とは関係なく、鉄塔の脚部などの鉄塔部材９に装着される着雪低減用具１が単独で使用されることにより、鉄塔部材９の表面に沿って移動する着雪体を鉄塔部材９の表面から剥がして落下させる効果は発揮され得る。
【００５９】
また、送電線１０の下方に例えば民家や道路や駐車場などが存在しているために雪の塊を落下させるには相応しくない場所への落雪を避けるための仕組みとして、図１１に示すように、鉄塔の脚部などの鉄塔部材９に、当該鉄塔部材９の表面に沿って移動して着雪体が滑り落ちる際の向きを調節・制御するような例えば板状の部材８が取り付けられるようにしても良い。この場合、送電線１０のうちの鉄塔の近傍位置に取り付けられた着雪低減用具１の下方に板状部材８を設けることにより、送電線１０に装着された着雪低減用具１によって送電線１０の表面１０ａから剥がされて落下させられた着雪体１１の落下地点を調節・制御することができる。なお、送電線１０に装着される着雪低減用具１とは関係なく、鉄塔の脚部などの鉄塔部材９に装着される板状部材８が単独で使用されることにより、鉄塔部材９の表面に沿って移動して着雪体が滑り落ちる際の向きを調節・制御する効果は発揮され得る。
【産業上の利用可能性】
【００６０】
本発明の着雪低減方法、並びに、着雪低減用具、電線、及び電線付属器具の取付具は、架空送電線に付着した雪を落下させて架空送電線への着雪を低減させることができるので、例えば、架空送電線の保守・点検・管理や架空送電線の架設などの分野で利用価値が高い。
【符号の説明】
【００６１】
１  着雪低減用具
２  傾斜面
２ａ  接触端部
２ｂ  離間端部
３Ａ，３Ｂ  開閉端部
４  ヒンジ部
５  係合機構
５ａ  凸部
５ｂ  凹部
７  電線付属器具
７ａ  取付具
８  板状部材
９  鉄塔部材
１０  送電線
１０ａ  表面
１１  着雪体
【図１】
0006509659.tif 000002
【図２】
0006509659.tif 000003
【図３】
0006509659.tif 000004
【図４】
0006509659.tif 000005
【図５】
0006509659.tif 000006
【図６】
0006509659.tif 000007
【図７Ａ】
0006509659.tif 000008
【図７Ｂ】
0006509659.tif 000009
【図７Ｃ】
0006509659.tif 000010
【図８】
0006509659.tif 000011
【図９】
0006509659.tif 000012
【図１０】
0006509659.tif 000013
【図１１】
0006509659.tif 000014
【図１２】
0006509659.tif 000015